(57)【要約】【課題】会議の開催に必要な、利用されていない資源を利用者に提示する。【解決手段】第１受付部１１１は、利用者から会議の条件を示す条件情報を受付ける。取得部１１３は、複数の資源のそれぞれについて検知された、その資源が利用されている状況を示す利用情報を取得する。生成部１１４は、条件情報及び利用情報に基づいて複数の資源から会議に必要な、利用されていない資源を示す資源情報を生成する。評価部１１５は、状態ＤＢ１２２を参照して、資源情報に示される資源のそれぞれの状態を特定し、特定した状態と予め決められた基準とに沿って資源情報を評価する。提示部１１６は、生成部１１４が生成した資源情報を、評価部１１５の評価に応じて提示する。【選択図】図８
2018197915.tif 000002
【特許請求の範囲】
【請求項１】
利用者から会議の条件を示す条件情報を受付ける第１受付部と、
複数の資源のそれぞれについて検知された、該資源が利用されている状況を示す利用情報を取得する取得部と、
前記条件情報及び前記利用情報に基づいて前記複数の資源から前記会議に必要な、利用されていない資源を示す資源情報を生成する生成部と、
前記資源情報を提示する提示部と、
を有する情報処理装置。
【請求項２】
前記資源情報を評価する評価部、を有し、
前記提示部は、前記評価部の評価に応じて前記資源情報を提示する
ことを特徴とする請求項１に記載の情報処理装置。
【請求項３】
前記取得部は、前記利用者及び前記複数の資源の位置を示す位置情報をそれぞれ取得し、
前記評価部は、前記位置情報に基づいて前記資源情報を前記利用者からの距離に応じて評価する
ことを特徴とする請求項２に記載の情報処理装置。
【請求項４】
前記取得部は、前記複数の資源の準備に要する時間を示す時間情報をそれぞれ取得し、
前記評価部は、前記時間情報に応じて前記資源情報を評価する
ことを特徴とする請求項２に記載の情報処理装置。
【請求項５】
前記資源情報に示される前記資源の予約を示す予約情報を前記利用者から受付ける第２受付部、を有し、
前記生成部は、前記条件情報及び前記利用情報、並びに前記予約情報に基づいて、前記資源情報を生成する
ことを特徴とする請求項１から４のいずれか１項に記載の情報処理装置。
【請求項６】
前記第２受付部が受付けた前記予約情報を、前記資源に送信する送信部、
を有し、
前記取得部は、送信した前記予約情報に応じた前記利用情報を取得する
ことを特徴とする請求項５に記載の情報処理装置。
【請求項７】
資源の利用情報を検知する検知部と、
前記利用情報を情報処理装置へ供給する供給部と、
前記情報処理装置から前記資源の予約を示す予約情報を受信する受信部と、
受信した前記予約情報を記憶する記憶部と、
を有し、
前記供給部は、前記記憶部が前記予約情報を記憶した場合、該予約情報に応じた前記利用情報を供給する
ことを特徴とする検知装置。
【請求項８】
前記予約情報に基づいて予約された前記資源が利用者に利用された場合に、該資源の利用に対する料金を算出する算出部と、
前記算出部により算出された料金を前記利用者に課金する課金部と、
を有することを特徴とする請求項７に記載の検知装置。
【請求項９】
情報処理装置と、検知装置と、を有し、
前記情報処理装置は、
利用者から会議の条件を示す条件情報を受付ける第１受付部と、
複数の資源のそれぞれについて検知された、該資源が利用されている状況を示す利用情報を取得する取得部と、
前記条件情報及び前記利用情報に基づいて前記複数の資源から前記会議に必要な、利用されていない資源を示す資源情報を生成する生成部と、
前記資源情報を提示する提示部と、
前記資源情報に示される前記資源の予約を前記利用者から受付ける第２受付部と、
前記第２受付部が受付けた前記予約を、前記検知装置に送信する送信部と、を有し、
前記検知装置は、
前記資源の前記利用情報を検知する検知部と、
前記利用情報を前記情報処理装置へ供給する供給部と、
前記情報処理装置から前記予約を受信する受信部と、
受信した前記予約を記憶する記憶部と、を有し、
前記供給部は、前記予約を受信した場合、該予約に応じた前記利用情報を供給する
ことを特徴とする情報処理システム。
【請求項１０】
コンピュータを、
利用者から会議の条件を示す条件情報を受付ける第１受付部と、
複数の資源のそれぞれについて検知された、該資源が利用されている状況を示す利用情報を取得する取得部と、
前記条件情報及び前記利用情報に基づいて前記複数の資源から前記会議に必要な、利用されていない資源を示す資源情報を生成する生成部と、
前記資源情報を提示する提示部と、
として機能させるためのプログラム。
【発明の詳細な説明】
【技術分野】
【０００１】
本発明は、情報処理装置、検知装置、情報処理システム、及びプログラムに関する。
【背景技術】
【０００２】
特許文献１には、受信した予約データの条件と、物理施設又は仮想施設の条件とを照合することで施設を選択し、選択された施設の情報を入力して予約実行処理をするスケジュール管理システムが開示されている。
特許文献２には、コンピュータに、受付けられた予約情報を登録し、直近時刻になるとこの予約情報に適う使用会議室を割り当て、同一又は重複する使用日時の時間帯並びに同一の希望会議室の予約情報を含む複数の予約情報がある場合、そのいずれかに希望会議室を割り当てる会議室予約プログラムが開示されている。
【先行技術文献】
【特許文献】
【０００３】
【特許文献１】特開２００３−１１４９６２号公報
【特許文献２】特開２０１３−６１９２９号公報
【発明の概要】
【発明が解決しようとする課題】
【０００４】
本発明は、会議に必要な、利用されていない資源を利用者に提示することを目的とする。
【課題を解決するための手段】
【０００５】
上述した課題を解決するため、本発明の請求項１に係る情報処理装置は、利用者から会議の条件を示す条件情報を受付ける第１受付部と、複数の資源のそれぞれについて検知された、該資源が利用されている状況を示す利用情報を取得する取得部と、前記条件情報及び前記利用情報に基づいて前記複数の資源から前記会議に必要な、利用されていない資源を示す資源情報を生成する生成部と、前記資源情報を提示する提示部と、を有する情報処理装置である。
【０００６】
本発明の請求項２に係る情報処理装置は、請求項１に記載の態様において、前記資源情報を評価する評価部、を有し、前記提示部は、前記評価部の評価に応じて前記資源情報を提示することを特徴とする情報処理装置である。
【０００７】
本発明の請求項３に係る情報処理装置は、請求項２に記載の態様において、前記取得部は、前記利用者及び前記複数の資源の位置を示す位置情報をそれぞれ取得し、前記評価部は、前記位置情報に基づいて前記資源情報を前記利用者からの距離に応じて評価することを特徴とする情報処理装置である。
【０００８】
本発明の請求項４に係る情報処理装置は、請求項２に記載の態様において、前記取得部は、前記複数の資源の準備に要する時間を示す時間情報をそれぞれ取得し、前記評価部は、前記時間情報に応じて前記資源情報を評価することを特徴とする情報処理装置である。
【０００９】
本発明の請求項５に係る情報処理装置は、請求項１から４のいずれか１項に記載の態様において、前記資源情報に示される前記資源の予約を示す予約情報を前記利用者から受付ける第２受付部、を有し、前記生成部は、前記条件情報及び前記利用情報、並びに前記予約情報に基づいて、前記資源情報を生成することを特徴とする情報処理装置である。
【００１０】
本発明の請求項６に係る情報処理装置は、請求項５に記載の態様において、前記第２受付部が受付けた前記予約情報を、前記資源に送信する送信部、を有し、前記取得部は、送信した前記予約情報に応じた前記利用情報を取得することを特徴とする情報処理装置である。
【００１１】
本発明の請求項７に係る検知装置は、資源の利用情報を検知する検知部と、前記利用情報を情報処理装置へ供給する供給部と、前記情報処理装置から前記資源の予約を示す予約情報を受信する受信部と、受信した前記予約情報を記憶する記憶部と、を有し、前記供給部は、前記記憶部が前記予約情報を記憶した場合、該予約情報に応じた前記利用情報を供給することを特徴とする検知装置である。
【００１２】
本発明の請求項８に係る検知装置は、請求項７に記載の態様において、前記予約情報に基づいて予約された前記資源が利用者に利用された場合に、該資源の利用に対する料金を算出する算出部と、前記算出部により算出された料金を前記利用者に課金する課金部と、を有することを特徴とする検知装置である。
【００１３】
本発明の請求項９に係る情報処理システムは、情報処理装置と、検知装置と、を有し、前記情報処理装置は、利用者から会議の条件を示す条件情報を受付ける第１受付部と、複数の資源のそれぞれについて検知された、該資源が利用されている状況を示す利用情報を取得する取得部と、前記条件情報及び前記利用情報に基づいて前記複数の資源から前記会議に必要な、利用されていない資源を示す資源情報を生成する生成部と、前記資源情報を提示する提示部と、前記資源情報に示される前記資源の予約を前記利用者から受付ける第２受付部と、前記第２受付部が受付けた前記予約を、前記検知装置に送信する送信部と、を有し、前記検知装置は、前記資源の前記利用情報を検知する検知部と、前記利用情報を前記情報処理装置へ供給する供給部と、前記情報処理装置から前記予約を受信する受信部と、受信した前記予約を記憶する記憶部と、を有し、前記供給部は、前記予約を受信した場合、該予約に応じた前記利用情報を供給することを特徴とする情報処理システムである。
【００１４】
本発明の請求項１０に係るプログラムは、コンピュータを、利用者から会議の条件を示す条件情報を受付ける第１受付部と、複数の資源のそれぞれについて検知された、該資源が利用されている状況を示す利用情報を取得する取得部と、前記条件情報及び前記利用情報に基づいて前記複数の資源から前記会議に必要な、利用されていない資源を示す資源情報を生成する生成部と、前記資源情報を提示する提示部と、として機能させるためのプログラムである。
【発明の効果】
【００１５】
請求項１、９、１０に係る発明によれば、会議の開催に必要な、利用されていない資源が利用者に提示される。
請求項２に係る発明によれば、利用者は提示される資源の評価を知る。
請求項３に係る発明によれば、利用者は提示される資源までの距離を知る。
請求項４に係る発明によれば、利用者は提示される資源の準備に要する時間を知る。
請求項５に係る発明によれば、会議の開催に必要であり、利用されておらず、且つ、予約されていない資源が利用者に提示される。
請求項６に係る発明によれば、資源の予約を資源自体に送信する。
請求項７に係る発明によれば、資源についての利用及び予約の情報が情報処理装置へ供給される。
請求項８に係る発明によれば、予約された資源が利用者に利用された場合に、その資源の利用に対する料金が利用者に課金される。
【図面の簡単な説明】
【００１６】
【図１】本実施形態に係る情報処理システム９の構成を示す図。
【図２】端末２の構成の例を示す図。
【図３】検知装置４の構成の例を示す図。
【図４】情報処理装置１の構成の例を示す図。
【図５】条件ＤＢ１２１の例を示す図。
【図６】状態ＤＢ１２２の例を示す図。
【図７】予約表１２０の例を示す図。
【図８】情報処理装置１の機能的構成を示す図。
【図９】情報処理装置１の動作の流れを示すフロー図。
【図１０】変形例７における予約表４２０及び料金表４２１の例を示す図。
【図１１】変形例７における検知装置４の機能的構成を示す図。
【発明を実施するための形態】
【００１７】
１．実施形態
１−１．情報処理システムの全体構成
図１は、本実施形態に係る情報処理システム９の構成を示す図である。情報処理システム９は、複数の資源をそれぞれ検知して、それらの資源が利用されている状況に基づいて、会議の開催を要求する利用者に、その会議の開催に必要な条件を満たす、利用されていない資源を提示するシステムである。資源とは、例えば、空間、座席、机、棚、コンピュータ、通信機器、パーティション（間仕切り・衝立）、板書（黒板・ホワイトボード）、防音設備等、会議に用いられる様々な物等である。
【００１８】
なお、会議とは情報処理システム９の複数の利用者が指定された空間に集合することである。会議では、例えば、各利用者が何らかの議題について互いに意見、情報等を交換したり、意思決定を行ったりする。
【００１９】
図１に示す情報処理システム９は、ＬＡＮ（Local Area Network）又はＷＡＮ（Wide Area Network）を形成する通信回線３と、この通信回線３に接続された情報処理装置１、端末２、及び複数の検知装置４を有する。
【００２０】
端末２は、会議の開催を要求する利用者が利用する端末装置である。利用者は、端末２を操作して、例えば、参加者の人数、会議の目的、使用する機材等、会議の開催に必要な条件を示す条件情報を入力し、その会議の開催に必要な、利用されていない資源の提示を情報処理システム９に要求する。
【００２１】
また、利用者は、端末２を操作して、開催される会議への参加を要求する。なお、情報処理システム９において端末２は複数であってもよい。
【００２２】
情報処理装置１は、端末２によって入力された条件情報を受付けて、会議に必要な、利用されていない資源を示す資源情報を生成し、端末２の利用者に提示する装置である。情報処理システム９において情報処理装置１は複数であってもよい。
【００２３】
複数の検知装置４は、資源が利用されている状況を検知する装置である。例えば、監視カメラを有する検知装置４は、この監視カメラで空間を撮影した画像を解析してその空間を利用している利用者がいるか否かを示す利用情報を生成する。この検知装置４は、監視カメラが撮影した画像をそのまま利用情報として生成してもよい。この場合、画像の解析は、情報処理装置１で行われる。
【００２４】
また、例えば電波を受信する受信機を有する検知装置４は、通信機器等の資源から発信される電波を受信して、その資源が利用されているか否かを示す利用情報を生成する。
【００２５】
また、検知装置４は、検知の対象となる資源自体に内包されていてもよい。例えば利用されている状況を検知する対象が椅子である検知装置４は、椅子の座面に内包された、圧力を感知する感圧センサを有し、利用者が着席しているか否かを示す利用情報を生成する。
【００２６】
また、例えば全地球形航法衛星システム（ＧＮＳＳ：Global Navigation Satellite System）の測位装置を有する検知装置４は、図１に示す航法衛星５から航法信号を受信して、自装置の地上における位置を測定する。この検知装置４は、自装置が内包されている資源が、どこで利用又は保管されているかを示す利用情報を生成する。
【００２７】
１−２．端末の構成
図２は、端末２の構成の例を示す図である。端末２は、制御部２１、記憶部２２、通信部２３、表示部２４、及び操作部２５を有する。
【００２８】
制御部２１は、ＣＰＵ（Central Processing Unit）、ＲＯＭ（Read Only Memory）、ＲＡＭ（Random Access Memory）を有し、ＣＰＵがＲＯＭ及び記憶部２２に記憶されているコンピュータプログラム（以下、単にプログラムという）を読み出して実行することにより端末２の各部を制御する。
【００２９】
記憶部２２は、ソリッドステートドライブ、ハードディスクドライブ等の大容量の記憶手段であり、制御部２１のＣＰＵに読み込まれる各種のプログラムを記憶する。
【００３０】
通信部２３は、無線又は有線により通信回線３に接続する通信回路である。端末２は、通信部２３により通信回線３を介して情報処理装置１と情報を遣り取りする。
【００３１】
操作部２５は、各種の指示をするための操作ボタン等の操作子を備えており、利用者による操作を受付けてその操作内容に応じた信号を制御部２１に供給する。操作部２５は、利用者の指又はスタイラスペン等の操作体を検知するタッチパネルを有してもよい。また、操作部２５は、例えば指紋読取機等、利用者を識別する手段を有していてもよい。
【００３２】
表示部２４は、液晶ディスプレイ等の表示画面を有しており、制御部２１の制御の下、画像を表示する。表示画面の上には、操作部２５の透明のタッチパネルが重ねて配置されてもよい。
【００３３】
１−３．検知装置の構成
図３は、検知装置４の構成の例を示す図である。検知装置４は、制御部４１、記憶部４２、通信部４３、及び検知部４６を有する。なお、検知装置４は、画像を表示する表示部、及び操作を受付ける操作部を有してもよい。
【００３４】
制御部４１は、ＣＰＵ、ＲＯＭ、ＲＡＭを有し、ＣＰＵがＲＯＭ及び記憶部４２に記憶されているプログラムを読み出して実行することにより検知装置４の各部を制御する。
【００３５】
通信部４３は、無線又は有線により通信回線３に接続する通信回路である。検知装置４は、通信部４３により通信回線３を介して情報処理装置１と情報を遣り取りする。
【００３６】
記憶部４２は、ソリッドステートドライブ、ハードディスクドライブ等の大容量の記憶手段であり、制御部４１のＣＰＵに読み込まれる各種のプログラムを記憶する。
【００３７】
検知部４６は、資源が利用されている状況を検知して、その状況を示す利用情報を生成する。すなわち、検知部４６は、資源の利用情報を検知する検知部の例である。検知部４６は、例えば、上述した監視カメラ、電波の受信機、感圧センサ、ＧＮＳＳの測位装置等である。また、検知部４６は、例えば赤外線センサ、温度計、振動計、加速度センサ等であってもよい。また、検知部４６は、資源が有する電池の残量や充電状態等を検知してもよい。検知部４６が生成した利用情報は、制御部４１の制御の下、情報処理装置１へ送られる。
【００３８】
なお、検知部４６は、資源が利用されている状況に加えて、この資源が故障しているか否かを検知してもよい。検知部４６が資源の故障を検知した場合、制御部４１はこの資源が利用できないことを情報処理装置１に通知する。要するに検知部４６は、他人に利用されているか、故障しているかに関わらず、資源が利用可能か否かを検知すればよい。
【００３９】
１−４．情報処理装置の構成
図４は、情報処理装置１の構成の例を示す図である。情報処理装置１は、制御部１１、記憶部１２、及び通信部１３を有する。なお、情報処理装置１は、画像を表示する表示部、及び操作を受付ける操作部を有してもよい。
【００４０】
制御部１１は、ＣＰＵ、ＲＯＭ、ＲＡＭを有し、ＣＰＵがＲＯＭ及び記憶部１２に記憶されているプログラムを読み出して実行することにより情報処理装置１の各部を制御する。
【００４１】
通信部１３は、無線又は有線により通信回線３に接続する通信回路である。情報処理装置１は、通信部１３により通信回線３を介して端末２及び検知装置４と情報を遣り取りする。
【００４２】
記憶部１２は、ハードディスクドライブ等の大容量の記憶手段であり、制御部１１のＣＰＵに読み込まれる各種のプログラムを記憶する。また、記憶部１２は、予約表１２０、条件ＤＢ１２１、及び状態ＤＢ１２２を記憶する。
【００４３】
条件ＤＢ１２１は、会議の条件と資源の組合せとを対応付けて記憶するデータベースである。図５は、条件ＤＢ１２１の例を示す図である。条件ＤＢ１２１は、資源表１２１１と、条件表１２１２とを有する。
【００４４】
図５に示す資源表１２１１は、資源の組合せとそれらの資源で開催が可能な会議の種別とを対応付けて記憶する表である。資源表１２１１の資源の欄には、様々な資源の識別番号に対応付けて、利用する資源を示す「○」、又は、利用しない資源を示す「×」が記述されている。そして資源表１２１１の種別の欄には、利用する資源の組合せに、その組合せで開催することが可能な会議の種別の識別情報が対応付けて記述されている。会議の１つの種別につき、複数通りの資源の組合せが対応付けられていてもよい。
【００４５】
図５に示す条件表１２１２は、会議の条件の組合せごとに、会議の種別の識別情報を１つ対応付けた表である。これにより、条件の組合せが１通りにつき、会議の種別が１つ特定される。
【００４６】
図５に示す条件ＤＢ１２１を制御部１１が参照することで、会議の条件の組合せに対応するその会議の種別が１つ特定される。そして、特定されたその種別の会議を開催するために必要な資源の組合せが１つ以上存在する場合には、その組合せが特定される。
【００４７】
なお、条件ＤＢ１２１は、情報処理装置１の管理者等によって更新されてもよい。条件ＤＢ１２１を更新することにより、例えば、新たな会議の種別や資源等が条件ＤＢ１２１に追加される。
【００４８】
また、制御部１１は、資源のそれぞれについての記憶された又は取得した、様々な特性についての情報と、会議の条件とから、会議の開催のために利用者に提示する資源の組合せを特定してもよい。
【００４９】
例えば、会議の条件として参加者の身長等、身体的特徴の情報と、座席を必要とするという情報を得た場合、制御部１１は、予め記憶部１２に登録された資源の形状や強度、硬度等の情報を基に、その参加者の座席となり得る高さ、丈夫さを満たす資源を抽出してもよい。この場合、記憶部１２は、上述した条件ＤＢ１２１に代えて、又は加えて、資源の特性についての情報と、会議の条件との対応関係を示す規則を記憶すればよい。
【００５０】
状態ＤＢ１２２は、複数の資源のそれぞれがいかなる状態にあるかを示すデータベースである。図６は、状態ＤＢ１２２の例を示す図である。図６に示す状態ＤＢ１２２には、複数の資源のそれぞれを示す識別情報と、その資源の状態とが対応付けられている。
【００５１】
図６に示す状態ＤＢ１２２において資源の状態には、位置、準備時間等がある。位置とは、上述したＧＮＳＳ等で特定される資源の位置である。情報処理装置１の制御部１１は、資源の位置をＧＮＳＳ等によって特定すると、これに応じて状態ＤＢ１２２を更新する。
【００５２】
準備時間とは、その資源を会議に利用するために必要な時間である。それぞれの資源には、例えば、組み立てや暖機運転等の準備が必要なものがある。これらの資源について状態ＤＢ１２２は、準備が完了するまでの時間を示す準備時間を予め定めている。
【００５３】
予約表１２０は、端末２を介して利用者から受付けた資源の予約を記憶する表である。図７は、予約表１２０の例を示す図である。予約表１２０には、利用者の識別情報と、予約の期間と、資源が予約の対象であるか否かを記述した欄とが対応付けられている。資源の欄において資源の識別情報に対応付けて記述された「○」は、その資源が予約の対象であることを意味し、「×」は、その資源が予約の対象でないことを意味する。
【００５４】
１−５．情報処理装置の機能的構成
図８は、情報処理装置１の機能的構成を示す図である。図８に示す情報処理装置１の制御部１１は、図４に示す記憶部１２に記憶されたプログラムを実行することにより、第１受付部１１１、第２受付部１１２、取得部１１３、生成部１１４、評価部１１５、及び提示部１１６として機能する。
【００５５】
第１受付部１１１は、利用者から会議の条件を示す条件情報を受付ける。利用者が所有する端末２を操作して会議の条件を指示すると、端末２は、通信回線３を介してその指示の内容、すなわち、条件情報を情報処理装置１へ送信する。情報処理装置１の制御部１１は、この会議の条件を示す条件情報を受信することにより、第１受付部１１１として機能する。
【００５６】
なお、第１受付部１１１は、決められた決定木に沿って端末２の利用者に質問を提示してもよい。この質問とは、例えば「座席は必要ですか？」「参加者は筆記しますか？」「板書は必要ですか？」「機密事項についての話し合いですか（防音する必要はありますか）？」等である。この場合、利用者はこの質問に順番に回答することにより、開催を要求する会議の条件を情報処理装置１に指示する。この決定木は、後述する生成部１１４により、例えば条件ＤＢ１２１に応じて生成される。
【００５７】
取得部１１３は、複数の資源のそれぞれについて検知された、その資源が利用されている状況を示す利用情報を取得する。検知装置４は、対象とする資源について、その資源が利用されている状況を検知すると、通信回線３を介して、その利用の状況を示す利用情報を情報処理装置１へ送信する。情報処理装置１の制御部１１は、この利用情報を受信することにより、取得部１１３として機能する。
【００５８】
なお、取得部１１３は、複数の検知装置４のそれぞれに、利用情報を要求してもよい。この場合、取得部１１３は、上述した要求に対する検知装置４の応答から利用情報を取得すればよい。
【００５９】
生成部１１４は、条件情報及び利用情報に基づいて複数の資源から会議に必要な、利用されていない資源を示す資源情報を生成する。情報処理装置１の制御部１１は、例えば、取得部１１３が取得した利用情報から、検知の対象としている複数の資源のうち、現時点で誰にも利用されていない資源を抽出する。そして制御部１１は、さらに条件ＤＢ１２１を参照して、これらの利用されていない資源の中から、第１受付部１１１が受付けた条件情報に示す条件を満たす資源を抽出して資源情報を生成する。これにより、制御部１１は、生成部１１４として機能する。
【００６０】
なお、生成部１１４は、条件ＤＢ１２１に更新があったときに、上述した決定木をこの条件ＤＢ１２１から生成してもよい。この場合、生成部１１４は、ＣＡＲＴ（Ｃｌａｓｓｉｆｉｃａｔｉｏｎ  Ａｎｄ  Ｒｅｇｒｅｓｓｉｏｎ  Ｔｒｅｅｓ）、ＩＤ３（Ｉｔｅｒａｔｉｖｅ  Ｄｉｃｈｏｔｏｍｉｓｅｒ  ３）、ランダムフォレスト等の決定木作成アルゴリズムを用いて上述した決定木を生成すればよい。
【００６１】
評価部１１５は、資源情報を評価する。図８に示す評価部１１５は、状態ＤＢ１２２を参照して、資源情報に示される資源のそれぞれの状態を特定する。そして評価部１１５は、特定した状態と予め決められた基準とに沿って資源情報を評価する。
【００６２】
この基準とは、例えば「資源同士の距離が近いほど評価を高くする」「資源と会議の開催を指示した利用者の端末２との距離が近いほど評価を高くする」「利用する資源の準備時間が長いものほど評価を低くする」等といったものである。評価は、例えば点数の付与によって行われる。なお、上述した基準は、例えば、レストラン、託児所、駅、駐車場等、予め決められた付帯施設からの距離によって資源を評価するものであってもよい。この場合、情報処理装置１は、付帯施設の位置を示す情報を予め記憶していればよい。
【００６３】
提示部１１６は、生成部１１４が生成した資源情報を、例えば、通信部１３を介して端末２に送り、表示部２４に表示させることで、利用者に提示する。このとき提示部１１６は、評価部１１５の評価に応じて資源情報を提示してもよい。例えば、資源情報により示される資源の組が複数通りである場合、提示部１１６は、そのそれぞれの組を評価部１１５の評価の順に並べ替えてもよい。また、提示部１１６は、資源情報に示される資源を、その資源の評価を示す点数とともに提示してもよい。また、提示部１１６は、資源情報のうち、評価の点数が決められた閾値を超えたものだけを利用者に提示してもよい。
【００６４】
第２受付部１１２は、資源情報に示される資源の予約を示す予約情報を利用者から受付ける。予約情報は、利用者の識別情報と、予約する資源の識別情報と、予約する期間の情報とを含む。図８に示す第２受付部１１２は、受付けた予約情報を、記憶部１２の予約表１２０に書き込む。
【００６５】
なお、生成部１１４は、第２受付部１１２により受付けた予約情報を記憶する予約表１２０を参照して、資源情報を生成してもよい。この場合、生成部１１４は、条件情報及び利用情報、並びに予約情報に基づいて、資源情報を生成する。
【００６６】
１−６．情報処理装置の動作
図９は、情報処理装置１の動作の流れを示すフロー図である。情報処理装置１の制御部１１は、条件ＤＢ１２１に更新があるか否かを判断し（ステップＳ１０１）、更新がないと判断する場合（ステップＳ１０１；ＮＯ）、ステップＳ１０３に処理を進める。条件ＤＢ１２１に更新があると判断する場合（ステップＳ１０１；ＹＥＳ）、制御部１１は、更新された条件ＤＢ１２１に基づいて決定木を生成する（ステップＳ１０２）。
【００６７】
制御部１１は、ステップＳ１０２で生成された、又は、予め決められた決定木に沿って生成した質問を端末２に送信する（ステップＳ１０３）。端末２は情報処理装置１から送信された質問を利用者に提示し、利用者はこの質問に対して回答する。端末２が利用者の回答に応じて、利用者が開催を求める会議の条件を示す条件情報を情報処理装置１に送信すると、情報処理装置１の制御部１１は、この条件情報を受付ける（ステップＳ１０４）。
【００６８】
制御部１１は、複数の検知装置４から資源が利用されている状況を示す利用情報を取得し（ステップＳ１０５）、受付けた条件情報及び取得した利用情報に基づいて複数の資源から利用者に開催を要求された会議に必要な、利用されていない資源を示す資源情報を生成する（ステップＳ１０６）。
【００６９】
制御部１１は、ステップＳ１０６で生成された資源情報により示される資源の組合せが複数であるか否かを判断する（ステップＳ１０７）。資源情報により示される資源の組合せが複数である場合（ステップＳ１０７；ＹＥＳ）、制御部１１は、それらの資源の組合せごとに、それぞれ評価された点数を比較して順位付けを行う（ステップＳ１０８）。一方、資源情報により示される資源の組合せが複数でない場合（ステップＳ１０７；ＮＯ）、制御部１１は、ステップＳ１０９に処理を進める。
【００７０】
制御部１１は、生成された資源情報により示される資源の組合せを示す情報を端末２へ送信することによりこれらの資源の組合せ利用者に提示して（ステップＳ１０９）、処理をステップＳ１０１に戻す。
【００７１】
以上の動作により、情報処理システム９の情報処理装置１は、利用者が開催を要求する会議に必要な、利用されていない資源を利用者に提示する。提示された資源の組合せを見た利用者は、これらの利用されていない資源を組合せて、会議の環境を形成すればよい。具体的に情報処理装置１による提示を見た利用者は、例えば食堂やロビー等の空いた空間にパーティション、折りたたみ椅子等の資源を持ち寄って、即席の会議室を形成する。これにより、会議用の空間がなくても、利用者は、提示された資源を組合せて会議を開催する。
【００７２】
２．変形例
以上が実施形態の説明であるが、この実施形態の内容は以下のように変形し得る。また、以下の変形例を組合せてもよい。
【００７３】
２−１．変形例１
上述した実施形態において、制御部１１は資源情報を評価する評価部１１５として機能していたが、資源情報の評価は行われなくてもよい。
【００７４】
２−２．変形例２
上述した実施形態において、評価部１１５には「資源と会議の開催を指示した利用者の端末２との距離が近いほど評価を高くする」という基準に基づいて、資源情報を評価する場合があることを示した。具体的に評価部１１５は、資源と端末２との距離を、資源及び端末２の両方の位置を上述したＧＮＳＳ等により測定した測定結果を取得することで求めてもよい。
【００７５】
この場合、端末２には図２において破線で示した測位部２６を有してもよい。測位部２６は、上述したＧＮＳＳの測位装置であり、端末２の地上における位置を測定する。測定された結果は、制御部１１の制御の下、通信部１３及び通信回線３を介して情報処理装置１へ送られる。
【００７６】
情報処理装置１の制御部１１は、利用者及び複数の資源の位置を示す位置情報をそれぞれ取得して、状態ＤＢ１２２に記憶する。そして、制御部１１は、取得した位置情報に基づいて資源情報と利用者との距離を算出し、この距離に応じて資源情報を評価すればよい。
【００７７】
２−３．変形例３
上述した実施形態において、評価部１１５には「利用する資源の準備時間が長いものほど評価を低くする」という基準等に基づいて、資源情報を評価する場合があることを示した。この場合、取得部１１３は、検知装置４から資源の準備に要する時間を示す時間情報をそれぞれ取得すればよい。取得した時間情報は、例えば図６に示した状態ＤＢ１２２に記憶される。評価部１１５は、この状態ＤＢ１２２を参照して、複数の資源についての時間情報に応じて資源情報を評価すればよい。
【００７８】
２−４．変形例４
上述した実施形態において、第２受付部１１２は、資源情報に示される資源の予約を示す予約情報を利用者から受付け、生成部１１４は、第２受付部１１２により受付けた予約情報を記憶する予約表１２０を参照して、資源情報を生成していたが、情報処理装置１は、資源の予約を受付けなくてもよい。
【００７９】
２−５．変形例５
上述した実施形態において、第２受付部１１２は、受付けた予約情報を、記憶部１２の予約表１２０に書き込んでいたが、情報処理装置１は、予約表１２０を記憶しなくてもよい。この場合、図８に破線で示す送信部１１７として機能してもよい。送信部１１７は、第２受付部１１２により受付けられた予約情報を、検知装置４に送信する。検知装置４が検知の対象とする資源に内包されている場合、送信部１１７は、予約情報を上述した資源に送信する。
【００８０】
検知装置４は、資源について、送信部１１７から送信された予約情報に応じた利用情報を供給する。この場合、取得部１１３は、送信部１１７が送信した予約情報に応じた利用情報を取得する。
【００８１】
２−６．変形例６
上述した変形例５において、検知装置４は、送信部１１７から送信された予約情報を記憶してもよい。この場合、検知装置４の制御部４１は、送信された予約情報を図３に破線で示した予約表４２０に記憶する。
【００８２】
この場合、制御部４１は、情報処理装置１から資源の予約を示す予約情報を受信する受信部４１１として機能すればよい。
【００８３】
また、制御部４１は、検知部４６により検知された利用情報を情報処理装置１へ供給する供給部４１２として機能すればよい。この供給部４１２は、記憶部４２の予約表４２０が予約情報を記憶した場合、この予約情報に応じた利用情報を情報処理装置１へ供給する
【００８４】
２−７．変形例７
上述した実施形態又は変形例において、情報処理システム９は、利用者から資源の予約を示す予約情報を受付けていたが、予約された資源が利用者に利用された場合に、その利用に対する料金を利用者に課金してもよい。この場合、検知装置４の記憶部４２は、図３に破線で示した料金表４２１を記憶してもよい。
【００８５】
図１０は、変形例７における予約表４２０及び料金表４２１の例を示す図である。図１０（ａ）に示される予約表４２０は、受付けた予約情報が行ごとに記憶される。予約表４２０の各行には、端末２から予約情報を送信した利用者の識別情報、予約の期間、資源の利用に対する料金、及びその料金の決済方法等が記憶される。なお、この予約の対象は、検知装置４が検知の対象とする資源である。
【００８６】
図１０（ｂ）に示される料金表４２１は、予約の期間が含まれる時間帯と、利用者の区分との組合せごとに、単位時間あたりの料金を記憶する。制御部４１は、料金表４２１を参照して、受付けた予約情報に示される予約の期間と、利用者の属する区分とに基づく料金を算出し、予約表４２０に書き込めばよい。
【００８７】
図１１は、変形例７における検知装置４の機能的構成を示す図である。検知部４６は、資源の利用情報を検知する。供給部４１２は、利用情報を情報処理装置１へ供給する。受信部４１１は、情報処理装置１から資源の予約を示す予約情報を受信する。記憶部４２は、受信した予約情報を予約表４２０に記憶する。供給部４１２は、記憶部４２が予約情報を記憶した場合、この予約情報に応じた利用情報を情報処理装置１に供給する。
【００８８】
図１１に示す算出部４１３は、予約表４２０に記憶された予約情報に基づいて、予約された資源が利用者に利用された場合に、料金表４２１を参照してこの資源の利用に対する料金を算出する。課金部４１４は、算出部４１３により算出された料金を、例えば、予約表４２０に記憶された決済方法により、利用者に課金する。
【００８９】
２−８．変形例８
情報処理装置１の制御部１１によって実行されるプログラムは、磁気テープ及び磁気ディスク等の磁気記録媒体、光ディスク等の光記録媒体、光磁気記録媒体、半導体メモリ等の、コンピュータ装置が読取り可能な記録媒体に記憶された状態で提供し得る。また、このプログラムを、インターネット等の通信回線経由でダウンロードさせることも可能である。なお、上述した制御部１１によって例示した制御手段としてはＣＰＵ以外にも種々の装置が適用される場合があり、例えば、専用のプロセッサ等が用いられる。
【符号の説明】
【００９０】
１…情報処理装置、１１…制御部、１１１…第１受付部、１１２…第２受付部、１１３…取得部、１１４…生成部、１１５…評価部、１１６…提示部、１１７…送信部、１２…記憶部、１２０…予約表、１２１…条件ＤＢ、１２１１…資源表、１２１２…条件表、１２２…状態ＤＢ、１３…通信部、２…端末、２１…制御部、２２…記憶部、２３…通信部、２４…表示部、２５…操作部、２６…測位部、３…通信回線、４…検知装置、４１…制御部、４１１…受信部、４１２…供給部、４１３…算出部、４１４…課金部、４２…記憶部、４２０…予約表、４２１…料金表、４３…通信部、４６…検知部、５…航法衛星、９…情報処理システム。
【図１】
2018197915.tif 000003
【図２】
2018197915.tif 000004
【図３】
2018197915.tif 000005
【図４】
2018197915.tif 000006
【図５】
2018197915.tif 000007
【図６】
2018197915.tif 000008
【図７】
2018197915.tif 000009
【図８】
2018197915.tif 000010
【図９】
2018197915.tif 000011
【図１０】
2018197915.tif 000012
【図１１】
2018197915.tif 000013